(57)【要約】【課題】使用時の香り立ちに優れ、長期安定性に優れ、塗布時のべたつきが少ない香料組成物を提供する。【解決手段】香料組成物は、成分（Ａ）を０．０１〜５．０質量％、成分（Ｂ）を０．１〜１５．０質量％、および成分（Ｃ）を０．１〜１０．０質量％を含有しており、成分（Ｃ）の含有量／成分（Ａ）の含有量が０．５〜５．０である。（Ａ）  香料  （Ｂ）  下記の式（Ｉ）で表される水溶性アルキレンオキシド誘導体  ＲＯ−［（ＰＯ）ｍ（ＥＯ）ｎ］−Ｈ           （Ｉ）（式（１）中、Ｒは炭素数が１〜６個である炭化水素基、ＰＯはオキシプロピレン基、ＥＯはオキシエチレン基、ｍはオキシプロピレン基ＰＯの平均付加モル数で、１≦ｍ≦３０であり、ｎはオキシエチレン基ＥＯの平均付加モル数で、１≦ｎ≦３０であり、オキシプロピレン基ＰＯとオキシエチレン基ＥＯの合計量を１００質量部としたとき、オキシプロピレン基ＰＯの質量割合は３５〜７５質量部であり、オキシプロピレン基ＰＯとオキシエチレン基ＥＯはランダム状に付加している。）  （Ｃ）  ＨＬＢ値１０〜１５を有し、成分（Ｂ）以外の非イオン性界面活性剤【選択図】        なし【特許請求の範囲】
【請求項１】
下記の成分（Ａ）を０．０１〜５．０質量％、成分（Ｂ）を０．１〜１５．０質量％、および成分（Ｃ）を０．１〜１０．０質量％を含有しており、前記成分（Ｃ）の含有量の前記成分（Ａ）の含有量に対する比率（前記成分（Ｃ）の含有量／前記成分（Ａ）の含有量）が０．５〜５．０であることを特徴とする、香料組成物。
（Ａ）  香料
（Ｂ）  下記の式（１）で表される水溶性アルキレンオキシド誘導体
ＲＯ−［（ＰＯ）ｍ（ＥＯ）ｎ］−Ｈ        （１）
（式（１）中、
Ｒは炭素数が１〜６個である炭化水素基、
ＰＯはオキシプロピレン基、
ＥＯはオキシエチレン基、
ｍはオキシプロピレン基ＰＯの平均付加モル数で、１≦ｍ≦３０であり、
ｎはオキシエチレン基ＥＯの平均付加モル数で、１≦ｎ≦３０であり、
オキシプロピレン基ＰＯとオキシエチレン基ＥＯの合計量を１００質量部としたとき、オキシプロピレン基ＰＯの質量割合は３５〜７５質量部であり、
オキシプロピレン基ＰＯとオキシエチレン基ＥＯはランダム状に付加している。）
（Ｃ）  ＨＬＢ値１０〜１５を有し、前記成分（Ｂ）以外の非イオン性界面活性剤
【発明の詳細な説明】
【技術分野】
【０００１】
本発明は、香料組成物に関する。
【０００２】
香りは、製剤の高級感、効果への期待感、心理的な安心感などを演出する重要な要素である。現在、香りを演出する香料は、製剤中に多く用いられているが、その香料は水に不溶の油成分であることが多い。例えば、フレグランスやミストなどの透明で水系の安定な製剤を得るために、少量の活性剤によって香料を可溶化させると、香料の油成分同士の会合やクリーミングが起こりやすく、製剤の長期安定性が低下する可能性がある。しかし、その一方で多量の活性剤によって香料を可溶化させると、活性剤による塗布時のべたつきが生じ、更に水や香料の揮発により、製剤内の活性剤濃度がより高くなることで、長期安定性が低下する可能性がある。
【０００３】
特許文献１では、アルキレンオキシド誘導体、香料及び/又はビタミンＥ若しくはその誘導体、及び水を含む化粧料の経時安定性を改善し、温度変化履歴に対して安定な外用剤を提案している。しかし、香料に対して活性剤量が多く、可溶化した際に香料成分の周りの活性剤量が多くなるため、香料の香り立ちが抑制される可能性がある。更に、持続性の向上や香り立ちの向上のために多くの香料を用いる製剤の処方が増えているが、特許文献１の化粧料では、多くの香料を可溶化する要求を満たすことができない可能性がある。
【０００４】
特許文献２では、使用感触及び乳化安定性に優れ、ディスペンサー使用に適した水系フレグランスとして、香料、シリコーン油、親水性界面活性剤の組成物を提案している。香料に対して、活性剤量は少ないものの、香料を高圧ホモジナイザーによって乳化を行っているため、配合成分によっては用いることができない場合、製剤の作製コストがかかる可能性がある。更に、乳化の処方であるため、製剤の付加価値を向上させるための透明性の高い水系の製剤を得る際には困難になる可能性がある。
【先行技術文献】
【特許文献】
【０００５】
【特許文献１】特開２００８−２６６２１７号公報
【特許文献２】特開２００５−２４７７５９号公報
【発明の概要】
【発明が解決しようとする課題】
【０００６】
本発明の課題は、使用時の香り立ちに優れ、長期安定性に優れ、塗布時のべたつきが少ない香料組成物を提供することである。
【課題を解決するための手段】
【０００７】
本発明者らは、上記課題を解決するために鋭意検討を行った結果、香料、特定のアルキレンオキシド誘導体、非イオン性界面活性剤を用いることで上記目的を達成できることを見出した。この知見に基づく、本発明は下記の通りである。
【０００８】
下記の成分（Ａ）を０．０１〜５．０質量％、成分（Ｂ）を０．１〜１５．０質量％、および成分（Ｃ）を０．１〜１０．０質量％を含有しており、前記成分（Ｃ）の含有量の前記成分（Ａ）の含有量に対する比率（前記成分（Ｃ）の含有量／前記成分（Ａ）の含有量）が０．５〜５．０であることを特徴とする、香料組成物。
（Ａ）  香料
（Ｂ）  下記の式（１）で表される水溶性アルキレンオキシド誘導体
ＲＯ−［（ＰＯ）ｍ（ＥＯ）ｎ］−Ｈ        （１）
（式（１）中、
Ｒは炭素数が１〜６個である炭化水素基、
ＰＯはオキシプロピレン基、
ＥＯはオキシエチレン基、
ｍはオキシプロピレン基ＰＯの平均付加モル数で、１≦ｍ≦３０であり、
ｎはオキシエチレン基ＥＯの平均付加モル数で、１≦ｎ≦３０であり、
オキシプロピレン基ＰＯとオキシエチレン基ＥＯの合計量を１００質量部としたとき、オキシプロピレン基ＰＯの質量割合は３５〜７５質量部であり、
オキシプロピレン基ＰＯとオキシエチレン基ＥＯはランダム状に付加している。）
（Ｃ）  ＨＬＢ値１０〜１５を有し、前記成分（Ｂ）以外の非イオン性界面活性剤
【発明の効果】
【０００９】
本発明によれば、使用時の香り立ちに優れ、長期安定性に優れ、塗布時のべたつきの少ない香料組成物を得ることができる。
【発明を実施するための形態】
【００１０】
以下、本発明の香料組成物における成分(Ａ)、成分（Ｂ）、成分（Ｃ）、水及びその他の任意成分について、順に説明する。
【００１１】
＜香料（成分（Ａ））＞
本発明は、成分（Ａ）として香料を使用することを特徴の１つとする。香料としては、動物又は植物より得られる天然香料と、化学適合性手段によって製造される合成香料、及びそれらの混合物である調合香料が挙げられ、特に限定されない。本発明においては、目的とする製品に応じて、これらの香料の任意の一種または二種以上を用いることができる。
【００１２】
用いる香料の例としては、炭化水素類、アルコール類、フェノール類、アルデヒド類、ケトン類、アセタール類、エーテル類、エステル類、カーボネート類、ラクトン類、オキシム類、ニトリル類、シッフ塩基類、アミド類、含窒素化合物、含硫黄化合物、天然精油や天然抽出物を挙げることができる。
【００１３】
香料組成物の成分（Ａ）の含有量は０．０１〜５．０質量％とする。成分（Ａ）の含有量が０．０１質量％未満である場合は、十分な使用時の香り立ちに優れた効果が得られない。この観点から、成分（Ａ）の含有量を０．０１質量％以上とするが、は０．１質量％以上が好ましく、０．５質量％以上が更に好ましい。また、成分（Ａ）の含有量が５．０質量％を上回ると、香料組成物の長期安定性が低下する場合がある。この観点から、成分（Ａ）の含有量を５．０質量％以下とするが、３．０質量％以下が好ましく、２．０質量％以下が更に好ましい。
【００１４】
＜アルキレンオキシド誘導体（成分（Ｂ）＞
本発明は、成分（Ｂ）として、式（１）で表されるアルキレンオキシド誘導体を使用することを特徴の一つとする。成分（Ｂ）は１種のみを使用してもよく、２種以上を併用してもよい。成分（Ｂ）、成分（Ｃ）の組み合わせによって、成分（Ａ）を低濃度の活性剤によって香料組成物中に可溶化させることができる。その結果、使用時の香り立ちに優れ、長期安定性に優れた、塗布時のべたつきが少ない香料組成物を得ることができる。
【００１５】
式（１）において、Ｒは、炭素数が１〜６個の炭化水素基であり、一種でも混合物でもよい。Ｒの炭素数が６個より大きい場合は、香料組成物の塗布時におけるべたつきが生じるので、炭素数を６個以下とするが、４個以下とすることが更に好ましい。
【００１６】
Ｒの炭化水素基は、飽和炭化水素基でもよく、不飽和炭化水素基でもよい。この飽和炭化水素基としてはアルキル基が好ましく、不飽和炭化水素基としては、アルケニル基が好ましい。特に好ましいＲは、メチル基、エチル基、プロピル基、ｎ-ブチル基である。
【００１７】
式（１）中のｍおよびｎは、それぞれ、オキシプロピレン基（ＰＯ）、オキシエチレン基（ＥＯ）各１分子あたりの平均付加モル数である。
【００１８】
オキシプロピレン基ＰＯの平均付加モル数ｍは、１〜３０とする。
ｍが１未満であると、香料組成物の長期安定性が低下する可能性があるので、ｍを１以上とする。また、ｍが３０を越えると、香料組成物の塗布時におけるべたつきが生ずるので、ｍを３０以下とするが、２０以下が好ましく、１０以下が更に好ましい。
【００１９】
オキシエチレン基ＥＯの平均付加モル数ｎは、１〜３０とする。
ｎが１未満であると、香料組成物の長期安定性が低下する可能性があるので、ｎを１以上とする。また、ｎが３０を越えると、香料組成物の塗布時におけるべたつきが生ずるので、ｎを３０以下とすることが、２０以下が好ましく、１０以下が更に好ましい。
【００２０】
オキシプロピレン基ＰＯとオキシエチレン基ＥＯの合計量を１００質量部としたとき、オキシプロピレン基ＰＯの質量割合は３０〜７５質量部とする。ＰＯの量が３０質量部未満であると、香料組成物の長期安定性が悪化する場合があり、ＰＯの量が７５質量部を超えると、香料組成物の使用時の塗布時にべたつきが生ずる場合がある。ＰＯの量が上記の範囲内であれば、長期安定性、塗布時のべたつきのバランスが良い化粧料組成物を得ることができる。こうした観点からは、ＰＯの量は、７０質量部以下とすることが更に好ましく、６０質量部以下とすることが特に好ましい。また、ＰＯの量は、３５質量部以上とすることが更に好ましく、４０質量部以上とすることが特に好ましい。
【００２１】
式（１）におけるＰＯおよびＥＯの結合部分は、−［（ＰＯ）ｍ（ＥＯ）ｎ］−と記載しているが、この記載は、ＰＯおよびＥＯが、ブロック状ではなく、ランダム状に結合していることを表す。また、この記載はＰＯおよびＥＯがランダム状に結合していることを表すため、式（１）の「ＲＯ−」部分に、ＰＯではなく、ＥＯが結合しているアルキレンオキシド誘導体も、本発明の成分（Ｂ）に包含される。
【００２２】
本発明の成分（Ｂ）と異なり、ＰＯおよびＥＯがブロック状に結合しているアルキレンオキシド誘導体を使用すると、香料組成物の長期安定性が悪化し、さらに、塗布時のべたつきが生ずる。
【００２３】
香料組成物中の成分（Ｂ）の含有量は０．１〜１５．０質量％とする。成分（Ｂ）の含有量が０．１質量％未満である場合、成分（Ａ）を可溶化させにくく、香料組成物の長期安定性が低下する場合がある。この観点から、成分（Ｂ）の含有量を０．１質量％以上とするが、０．５質量％以上とすることが更に好ましく、１．０質量％以上とすることが特に好ましい。また、成分（Ｂ）の含有量が１５．０質量％を上回ると、香料組成物の塗布時にべたつきが生じる可能性がある。この観点から、成分（Ｂ）の含有量を１５．０質量％以下とするが、１２．０質量％以下が更に好ましく、１０．０質量％以下が特に好ましい。
【００２４】
本発明の式（１）で示されるアルキレンオキシド誘導体は、公知の方法で製造することができる。例えば、炭素数が１〜６個であるアルキルアルコールにエチレンオキシドおよびプロピレンオキシドを付加重合することによって得られる。
【００２５】
＜非イオン性界面活性剤（成分（Ｃ））＞
本発明は、成分（Ｃ）として、ＨＬＢ（hydrophile-lipophile
balance)値が１０〜１５の非イオン性界面活性剤を使用する。成分（Ｃ）は、１種のみを使用してもよく、２種以上を併用してもよい。非イオン性界面活性剤のＨＬＢ値が１０より小さい場合、もしくは１５より大きい場合には、香料を可溶化させることが難しく、長期安定性に優れた香料組成物を得られない可能性がある。
【００２６】
ここで、上記ＨＬＢ値は、川上の提唱した下記（２）式によって求めることができる（川上：科学，２３，５４６（１９５３））。
ＨＬＢ値＝７＋１１．７・Ｌｏｇ（ＭＷ／ＭＯ）・・・（２）
(ここでＭＷは親水基の分子量、ＭＯは親油基部の分子量を表す。)
【００２７】
非イオン性界面活性剤のＨＬＢ値が１０〜１５の間であれば、非イオン性界面活性剤の種類は限定はされないが、ポリオキシエチレン多価アルコール脂肪酸エステル、ポリエチレングリコール脂肪酸エステル、ポリグリセリン脂肪酸エステル、ポリオキシエチレン硬化ヒマシ油誘導体等の脂肪酸エステル型非イオン性界面活性剤、ポリオキシエチレンアルキルエーテル、ポリオキシエチレンアルキルフェニルエーテル等のアルキルまたはアリールエーテル型非イオン性界面活性剤、ポリオキシエチレン−ポリオキシプロピレンブロック共重合体、エチレンジアミンのポリオキシエチレン−ポリオキシプロピレンブロック共重合体付加物、ポリオキシエチレンアルキルアミン等を挙げることができる。
【００２８】
より具体的には、ポリオキシエチレンソルビタンモノラウレート、ポリオキシエチレンソルビタンモノパルミテート、ポリオキシエチレンソルビタンモノステアレート、ポリオキシエチレンソルビタンモノオレエート、ポリオキシエチレンソルビタントリオレエート、ポリオキシエチレンソルビタンテトラオレエート等のポリオキシエチレンソルビタン脂肪酸エステル；ポリオキシエチレンソルビットモノラウレート、ポリオキシエチレンソルビットモノステアレート、ポリオキシエチレンソルビットテトラステアレート、ポリオキシエチレンソルビットヘキサステアレート、ポリオキシエチレンソルビットモノオレエート、ポリオキシエチレンソルビットテトラオレエート、ポリオキシエチレンソルビットペンタオレエート、ポリオキシエチレンソルビットモノイソステアレート、ポリオキシエチレンソルビットテトライソステアレート等のポリオキシエチレンソルビット脂肪酸エステル；ポリオキシエチレングリセリンモノステアレート、ポリオキシエチレングリセリンモノイソステアレート、ポリオキシエチレングリセリントリイソステアレート、ポリオキシエチレングリセリンモノオレエート等のポリオキシエチレングリセリン脂肪酸エステル;ポリオキシエチレンモノラウレート、ポリオキシエチレンモノステアレート、ポリオキシエチレンジステアレート、ポリオキシエチレンモノオレエート、ポリオキシエチレンジオレエート、ジステアリン酸エチレングリコール等のエチレングリコール脂肪酸エステル；ポリオキシエチレンラウリルエーテル、ポリオキシエチレンセチルエーテル、ポリオキシエチレンステアリルエーテル、ポリオキシエチレンオレイルエーテル、ポリオキシエチレンベヘニルエーテル、ポリオキシエチレン２−オクチルドデシルエーテル等のポリオキシエチレンアルキルまたはアルケニルエーテル；ポリオキシエチレン硬化ヒマシ油、ポリオキシエチレンアルキルアミド、ヤシ油脂肪酸ジエタノールアミド等を挙げることができる。
【００２９】
好ましくはポリオキシエチレン（５〜９）ラウリルエーテル、ポリオキシエチレン（６〜１２）セチルエーテル、ポリオキシエチレン（７〜１４）オレイルエーテル、ポリオキシエチレン（７〜１４）ステアリルエーテル、ポリオキシエチレン（５〜１０）アルキル（Ｃ１２〜１４）エーテル、ポリオキシエチレン（６〜１０）トリデシルエーテル、ポリオキシエチレン（５〜１０）ミリスチルエーテル、ポリオキシエチレン（７〜１２）イソステアリルエーテル、ポリオキシエチレン（１０〜１５）ベヘニルエーテル、ポリオキシエチレン（２１〜２６）ポリオキシプロピレン（１０〜１５）デシルテトラデシルエーテル、ポリオキシエチレン（２０〜６０）硬化ヒマシ油、ヤシ油脂肪酸ジエタノールアミドである。
【００３０】
香料組成物中の成分（Ｃ）の含有量は０．１〜１０．０質量％とする。成分（Ｃ）の含有量が０．１質量％未満であると、成分（Ａ）を可溶化させにくく、長期安定性が低下する場合がある。この観点から、成分（Ｃ）の含有量を０．１質量％以上とするが、０．５質量％以上が更に好ましく、１．０質量％以上が特に好ましい。また、成分（Ｃ）の含有量が１０．０質量％を上回ると、香料組成物の香り立ちが抑制してしまう可能性がある。この観点から、成分（Ｃ）の含有量を１０．０質量％以下とするが、８．０質量％以下が更に好ましく、５．０質量％以下が特に好ましい。
【００３１】
成分（Ｃ）の含有量と成分（Ａ）の含有量との比率（成分（Ｃ）／成分（Ａ））は、０．５〜５．０とする。この質量比が０．５未満である場合、長期安定性が低下する可能性がある。この観点からは、前記質量比を０．５以上とするが、１．０以上とすることが更に好ましい。また、前記質量比が５．０を上回る場合、香料の香り立ちが抑制してしまう可能性がある。この観点から、前記質量比を５．０以下とするが、３．０以下とすることが更に好ましく、２．０以下とすることが特に好ましい。
【００３２】
化粧料組成物中の水の含有量は、成分（Ａ）〜（Ｃ）および任意成分の残部であるが、好ましくは７０．０〜９９．０質量％、より好ましくは７５．０〜９５．０質量％、さらに好ましくは８０．０〜９０．０質量％である。
【００３３】
＜その他の任意成分＞
本発明の化粧料組成物は、成分（Ａ）〜成分（Ｃ）および水以外の任意成分として、化粧品に一般的に用いられている成分を含有していてもよい。その他の任意成分としては、例えば、界面活性剤、イソプロパノール等の溶剤、炭化水素油、エステル油、高級脂肪酸、高級アルコール、シリコーン油等の油分、グリセリン、プロピレングリコール、１，３−ブチレングリコール、ポリエチレングリコール等の保湿剤、エチレンジアミン四酢酸塩、エデト酸等のキレート剤、ジステアリン酸エチレングリコール等のパール化剤、パラメトキシケイ皮酸エステル、メトキシジベンゾイルメタン等の紫外線吸収剤、増粘剤、酸化防止剤、ｐＨ調整剤、植物抽出物、アミノ酸、ビタミン類、色素等が挙げられる。
このような任意成分の合計含有量は本来の目的を損なわない範囲で配合することができ、１０質量％以下が好ましい。
【００３４】
本発明の香料組成物は、常法に従い、成分（Ａ）、（Ｂ）、（Ｃ）、水およびその他の任意成分を混合することによって、製造できる。また、化粧料組成物の剤型に特に限定はなく、例えば、透明系液体状、パール系液体状、ペースト状、クリーム状、ゲル状、固形状、エアゾール型スプレー、非エアゾール型のスプレー状等が挙げられる。
【実施例】
【００３５】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。なお、以下の「％」および「部」は、特段の記載が無い限り、それぞれ「質量％」および「質量部」を意味する。
【００３６】
（合成例１：成分（Ｂ−１）の合成）
１−ブタノール７４ｇと触媒として水酸化カリウム４ｇをオートクレーブ中に仕込み、オートクレーブ中の空気を乾燥窒素で置換した後、攪拌しながら１４０℃で触媒を完全に溶解した。次に滴下装置によりエチレンオキシド３９６ｇとプロピレンオキシド５８０ｇの混合物を滴下させた。その後オートクレーブより反応組成物を取り出し、塩酸で中和してｐＨ６〜７とし、含有する水分を除去するため減圧−０．０９５ＭＰａ(ゲージ圧)、１００℃で１時間処理した。さらに処理後生成した塩を除去するため濾過を行い、アルキレンオキシド誘導体（成分（Ｂ−１））を得た。
また、ＪＩＳ  Ｋ１５５７−１に準じた水酸基価測定によって得られる値から、エチレンオキシドおよびプロピレンオキシド付加物の数平均分子量からｍおよびｎの値を特定した。
【００３７】
（合成例２：成分（Ｂ−２）〜成分（Ｂ’−２）の合成）
出発原料の種類、並びにエチレンオキシドおよびプロピレンオキシド付加量を変更したこと以外は、合成例１と同様の方法にて、アルキレンオキシド誘導体（成分（Ｂ−２）〜（Ｂ−５）、（Ｂ’−１）、（Ｂ’−２））を合成した。
【００３８】
得られた成分（Ｂ−１）〜（Ｂ−５）、（Ｂ’−１）、（Ｂ’−２）について、式（１）におけるＲ、ｍおよびｎ、ＰＯおよびＥＯの合計１００質量部に対するＰＯの量を表１に示す。
【００３９】
【表１】
2018030915.tif 000002
【００４０】
（実施例１〜１２および比較例１〜８）
合成例１または２で得られた成分（Ｂ−１）〜（Ｂ−５）、（Ｂ’−１）および（Ｂ’−２）、下記の成分（Ｂ’−３）並びに下記の成分（Ａ−１）〜成分（Ａ−４）、成分（Ｃ−１）〜成分（Ｃ−３）、（Ｃ’）、共通成分および水を、表２、表３に示した量で、室温にて均一になるまで混合し、液状の香料組成物を得た。
【００４１】
＜成分（Ａ）＞
成分（Ａ−１）：（Ｒ）−（＋）−リモネン（和光純薬工業（株）製）
成分（Ａ−２）：アネトール （和光純薬工業（株）製）
成分（Ａ−３）：ｐ−アニスアルデヒド
（東京化成工業（株）製）
成分（Ａ−４）：ヘキサン酸エチル  （和光純薬工業（株）製）
【００４２】
＜成分（Ｂ’−３）＞
ラウリル硫酸ナトリウム（和光純薬工業（株）製）
【００４３】
＜成分（Ｃ）＞
成分（Ｃ−１）：  ポリオキシエチレン（２４）ポリオキシプロピレン（１３）デシルテトラデシルエーテル（日油（株）製、「ユニルーブ５０ＭＴ−２２００Ｂ」、表示名称：ＰＰＧ−１３デシルテトラデセス−２４、ＨＬＢ＝１０，７）
成分（Ｃ−２）：  ポリオキシエチレン（７）アルキル（１２〜１４）エーテル（日油（株）製、「ノニオンＮＣ−２０７」、表示名称：（Ｃ１２−１４）パレス−７、ＨＬＢ＝１２．３）
成分（Ｃ−３）：  ポリオキシエチレン（６０）硬化ヒマシ油（日油（株）製、「ユニオックスＨＣ−６０」表示名称：ＰＥＧ−６０ 水添ヒマシ油、ＨＬＢ＝１５．０）
成分（Ｃ’）：  ポリオキシエチレン（１００）硬化ヒマシ油（日油（株）製「ユニオックスＨＣ−１００」、表示名称：ＰＥＧ−１００ 水添ヒマシ油、ＨＬＢ＝１６．６）をそれぞれ用いた。  
【００４４】
＜共通成分＞
３％のグリセリン、３％の１，３−ブチレングリコール、０．２％のエチルヘキシルグリセリン、０．０５％のクエン酸、および０．２％のクエン酸ナトリウムを共通成分として使用した（共通成分の合計６．４５％）。なお、前記の成分量は、香料組成物中の含有量を示す。
【００４５】
＜評価＞
得られた実施例１〜１２および比較例１〜８の香料組成物の香り立ち、塗布時のべたつき及び長期安定性を以下のようにして評価した。結果を表２、表３に示す。
【００４６】
（ａ）香り立ち
パネラー１０名の前腕に、試料を０．２ｍＬ塗布し、香り立ちの強さを下記の基準で官能評価を行った。
３点：パネラーが強い香り立ちを感じた。
２点：パネラーがやや香り立ちを感じた。
１点：パネラーが香り立ちを殆ど感じなかった。
【００４７】
更に、パネラー１０名の評価の合計点を、下記基準で判定した。
◎：２５点以上（香料組成物は、非常に優れた香り立ちを有する）
○：２０点以上、２５点未満（香料組成物は、優れた香り立ちを有する）
△：１５点以上、２０点未満（香料組成物は、やや優れた香り立ちを有する）
×：１５点未満（香料組成物は、香り立ちが良くない）
【００４８】
（ｂ）塗布時のべたつき
パネラー１０名の前腕に試料を０．２ｍＬ塗布し、製剤のべたつきを下記の基準で官能評価を行った。
３点：パネラーがべたつきを殆ど感じなかった。
２点：パネラーがややべたつきを感じた。
１点：パネラーがべたつきを強く感じた。
【００４９】
更に、パネラー１０名の評価の合計点を、下記基準で判定した。
◎：２５点以上（香料組成物に、べたつきが殆どない）
○：２０点以上、２５点未満（香料組成物に、べたつきがややある）
△：１５点以上、２０点未満（香料組成物に、べたつきがある）
×：１５点未満（香料組成物に、べたつきが強くある）
【００５０】
（ｃ）長期安定性
香料組成物５０ｍＬを透明ガラス容器に入れて密封し、０℃、２５℃および４０℃で１ヶ月間保存した。１ヵ月後に、それぞれの温度で保存した化粧料組成物の外観を観察して、下記基準で判定した。
○：保存後の香料組成物の外観が、いずれの温度でも無色透明であり、変化が無かった
×：保存後の香料料組成物の外観が、いずれかの温度において半透明または白濁し、析出、固化、分離等の変化があった
【００５１】
【表２】
2018030915.tif 000003
【００５２】
【表３】
2018030915.tif 000004
【００５３】
表２より明らかなように、実施例１〜１２の香料組成物は、いずれも優れた性能を有していた。
【００５４】
本発明の成分（Ｂ）の要件を満たさない成分（Ｂ’−１）、（Ｂ’−２）を使用する比較例１および２の香料組成物では、香料成分（成分（Ａ））を可溶化できず、長期安定性が悪くなり、更に比較例２では塗布時のべたつきが生じた。
【００５５】
成分（Ｂ’−３）（ラウリル硫酸ナトリウム）を使用する比較例３の香料組成物では、香料成分を可溶化でき、長期安定性は優れていたが、香料の香り立ちが抑制された。
【００５６】
成分（Ｃ）／成分（Ａ）の質量比が０．５未満である比較例４の香料組成物では、長期安定性が、実施例１〜６の香料組成物に比べて劣っていた。
成分（Ｃ）／成分（Ａ）の質量比が５．０超である比較例５の香料組成物では、香料の香り立ちが実施例１〜６の香料組成物に比べて劣っていた。
【００５７】
本発明の成分（Ｃ）の要件を満たさない成分（Ｃ’）を使用する比較例６の香料組成物では、香料の香り立ちおよび長期安定性のいずれかが、実施例１〜１２の香料組成物に比べて劣っていた。
【００５８】
本発明の成分（Ｂ）または（Ｃ）を用いない比較例７および８の香料組成物では、香料を可溶化できず、長期安定性が悪くなった。
【００５９】
（実施例１３）
表４に示す組成比率に従って、上述の成分（Ａ−１）、成分（Ｂ−１）および成分（Ｃ−１）、並びに下記成分を室温にて均一になるまで混合することによって、使用時の香り立ちと長期安定性に優れ、塗布時のべたつきが少ない液状の香料組成物（化粧水）が得られる。
【００６０】
【表４】
2018030915.tif 000005
【００６１】
（実施例１４）
表５に示す組成比率で、上述の成分（Ａ−１）、成分（Ｂ−１）および成分（Ｃ−１）、並びに下記成分を、成分（Ａ−１）、成分（Ｂ−１）および成分（Ｃ−１）以外を８０℃にて均一になるまで混合し、室温で成分（Ａ−１）、成分（Ｂ−１）および成分（Ｃ−１）を混合し、使用時の香り立ちと長期安定性に優れ、塗布時のべたつきが少ない液状の香料組成物（ヘアシャンプー）が得られる。
【００６２】
【表５】
2018030915.tif 000006
【産業上の利用可能性】
【００６３】
本発明の香料組成物は、化粧水及びシャンプー及び芳香剤の原料として有用である。